(57)【要約】      （修正有）【課題】データが任意に記録され、且つ、空きのクラスタについての情報を持たない状態の記録媒体にデータの記録を行なう場合、データの記録を行う操作から実際に記録媒体にデータが記録されるまでのタイムラグが短く、結果的に、データの記録操作の開始時点からの記録されるデータの頭部の欠落の発生を防止することを目的とする。【解決手段】データ記録装置では、判別手段８が、記録媒体１４のデータ記録が可能な空きのクラスタについての情報がないと判別すると、その判別結果に基づいて、制御手段６が、記録媒体１４に対して空きのクラスタを検索して見付け出し、その見付け出した空きのクラスタにダミーのデータを記録させ、このことによって空きのクラスタについての情報を確保するように制御を行う構成にした。【選択図】図２
2006323626.tif 000002
【特許請求の範囲】
【請求項１】
データを記録するエリアが複数個のクラスタに分割され、且つ、データの記録がファイル単位で行われる構成の記録媒体に、データを記録するためのデータ記録手段と、
データ記録を行う対象の記録媒体に既に幾らかのデータが任意に記録されており、そのデータが任意に記録された状態にある記録媒体に対して、前記データ記録手段がデータ記録可能な空きエリアについての情報を持たずに初めてデータの記録を行うか否かを判別する判別手段と、
その判別手段の判別結果が、データが任意に記録された状態にある記録媒体に対し、前記データ記録手段が、データ記録可能な空きのエリアについての情報がないという初めてのデータ記録の状態でデータの記録を行うものと判別すると、予めその記録媒体に空きのクラスタを検索し、その検索で見付け出された空きのクラスタにダミーとなるデータ記録を行うように上記データ記録手段を制御する制御手段を備えてなるデータ記録装置。
【請求項２】
制御手段は、データを記録すべき記録媒体にダミーのデータの記録を行い、その記録媒体でデータを記録すべき空きのクラスタの情報が得られた後、前記のダミーのデータを削除するようにデータ記録手段を制御する構成の請求項１に記載のデータ記録装置。
【請求項３】
データ記録手段が、デジタル信号プロセッサである請求項１に記載のデータ記録装置。
【発明の詳細な説明】
【技術分野】
【０００１】
この発明は、半導体メモリ、メモリディスクといった記録媒体にデータを記録（録音、録画）するデータ記録装置に関する。
特に、記録媒体にデータを記録し、その後、再びその記録媒体にデータを記録しようとする際に、記録媒体の記録できる領域を示すデータ記録の開始アドレスを見付けるのに多くの時間を要し、タイムリーな記録の開始が得られない場合が生じる。
【０００２】
この発明は、このようなタイムリーな記録の開始が得られないことの生じる記録媒体にデータを記録する際に、データ記録の操作を行うとこれに対応してデータの記録が即刻に開始されるように機能するデータ記録装置に関する。
【背景技術】
【０００３】
データの記録媒体への記録は、記録時間の長時間化、記録内容の高品質化等に伴い、記録媒体の記録容量が大型化が進められている。
初期の記録媒体として、例えば磁気テープが挙げられる。磁気テープは、テープの長さ量を増やすことによって、記録容量を大きくすることは可能である。
【０００４】
しかしながら、磁気テープでは通常記録が頭部から順序通りに行われるので、磁気テープに新たなデータを記録する際、その磁気テープがどこまでデータの記録が行われているか？、どこからデータを記録すべきか？、といったことへの検索を簡便に行うことができない、或いは、例えどこからデータの記録を行うかが判っていてもその位置までテープの送りや巻き戻しを行うのに長い時間を要するという問題があった。
【０００５】
斯かる問題を解決するために、記録可能な領域を幾つかのエリアに分け、且つ、各エリアごとにそのエリアを特定するための特定番号を付して記録の領域をファイル化し、そのファイル化したエリアの特定番号に係る情報に基づいて記録及び再生を行う構成の記録媒体が発明されている。
より具体的には、一つにFAT（file allocation table）と呼ばれているものが知られている。つまり、データ記録の最小単位であるセクタ（例えば、５１２バイト）を複数個備えてクラスタを構成し、複数個のクラスタによってファイルを構成させ、セクタにアドレスを、クラスタにクラスタ番号を、ファイルに開始クラスタ番号をそれぞれ付すことによって、記録媒体の記録エリアにどのようなデータが記録され、データの記録が可能な空きのクラスタがどこにあるかが判るように構成されている。
【０００６】
従って、上記の記録エリアがファイル化したシステムの記録媒体にデータを記録する際は、空きのクラスタつまりデータの記録（書き込み）が可能なクラスタを検索して見付け出し、その検索で見付った空きのクラスタにデータを記録することになる。
尚、斯かる構成の記録媒体として、具体的に、半導体メモリ、データ書換え可能なコンパクトディスク（ＣＤ−ＲＷ）等が挙げられる。
【０００７】
更に、空きのクラスタを見付け出すのに幾ばくかの時間を必要とすることから、アドレスに基づいて記録したデータの所在を短い時間で簡便に検索し、更に、その検索結果に基づいて記録されておらずデータの書き込みの可能な空きのクラスタを見付け出すことが可能な記録媒体が、以下の文献によって知られている。
【０００８】
【特許文献１】特開平６−１９５９８３号公報
【発明の開示】
【発明が解決しようとする課題】
【０００９】
特開平６−１９５９８３号公報で示された半導体メモリ（記録媒体）は、格子状に配置したメモリセルと、外部からのクロック信号と書き込み制御信号を受けて書き込みパルスを発生する書き込みパルス発生回路と、上記書き込みパルスとデータ入力信号を受けて上記メモリセルにデータを書込む書き込み回路を有する半導体メモリにおいて、上記書き込みパルス発生回路が書き込みポートと読み出しポートを有しかつ上記メモリセルと同じ構成を含むデュアルポートメモリセルを少なくとも有してメモリセルの応答特性を擬似する手段と、上記書き込みポートに書き込み出力を与える書き込み回路及び上記読み出しポートからの出力を得て上記書き込みパルスを発生するパルス発生回路を備えて構成にすることによって、タイミングマージンを低減することができ、高速の作動つまり空きのクラスタの検索を可能にしている。
【００１０】
つまり、斯かる構成の半導体メモリは、デュアルポートメモリセルにおいて書き込みパルスの幅とセルの反転時間の変動量を対応付けているので、結果的にタイミングマージンの低減を図ることが可能になっている。
【００１１】
さて、記録媒体は、特定の記録エリア（クラスタ）にデータの記録と消去を何度も繰り返すと、その記録エリアに破壊が生じ、その破壊された箇所の記録エリアが使用できなくなるという問題がある。
この問題を解決するために、各記録エリアを平均的に使用する構成になっている。そして、データの記録及び消去に各記録エリアを平均的に使用するために、各記録エリアへのデータのアクセスはランダムに行われる構成になっている。
【００１２】
さて、記録媒体にデータの記録を行う場合、データを記録しようとする対象の記録媒体が、未使用の状態にある若しくは記録されたデータの全てが消去されて初期化された状態にある場合には、全てのエリア（クラスタ）がデータ記録が可能な空きのエリアであることにより、データ記録の操作を行うとすぐに、データの記録を行う装置はその記録媒体にデータの記録を行うことになる。
斯かる場合においては、データ記録の操作の開始と実質的に同時に記録媒体にデータが記録されるので、記録されるデータに欠落は生じない。
【００１３】
又、記録媒体が、中断（ポーズ）を含めてデータの記録が継続して行われて来ている状態にある場合には、データの記録を行っている時点で空きのエリアの検索が行われているので、データを記録し得る空きのエリアをすぐに見付け出すことが可能になっている。
従って、斯かる状態の記録媒体に更にデータを記録する際は、データの記録が可能な空きのエリアを見付け出すことができるので、データの記録操作を行うとその記録操作の開始と実質的に同時に前記空きのエリアにデータが記録されることになる。
よって、データの記録を行う操作の開始と記録媒体に実際にデータが記録されることの間に全くと言ってよいほどにタイムラグがないので、記録されたデータに欠落部分は実質的になく、問題は生じない。
【００１４】
これは、記録エリアがシステム化された記録媒体は、データ記録装置によって一旦記録されたデータのアドレス、クラスタ番号或いは開始クラスタ番号が知られると、その情報を元に次回以降のアクセスにおいて途中から空きのクラスタを検索すればよいということに基づいている。
従って、記録されたデータのアドレス、クラスタ番号或いは開始クラスタ番号に基づいて検索を行う分、空きのクラスタの検索はほぼ０に等しいほどの短時間で済ますことが可能になり、結果的に、記録開始の操作から記録媒体に実際にデータの記録が行われるまでの時間は極く短くて済む。
よって、空きのクラスタを検索するための時間を短縮できる分、記録されたデータの欠落部分は少なくて済むということになる。
【００１５】
しかしながら、データを記録しようとする対象の記録媒体が、既に一部のエリアにデータが記録されている場合では、その記録媒体にデータ記録されているエリアがランダムに配置されているので、データを記録し得る空きのエリアもランダムに配置されていることになる。
従って、斯かる状態の記録媒体に対し、データを記録する装置がその記録媒体に対し、空きのエリアが見付っていないという初めての状態でデータの記録を行う場合では、まず最初に、データ記録が可能な空きのエリアを検索によって見付け出し、次に、その検索で見付った空きのエリアに対してデータの記録を行うことになる。
【００１６】
よって、この場合、記録開始の操作を行うと、まず検索によって空きのクラスタを見付け出し、ここで見付けだした空きのクラスタに実際にデータの書き込み（記録）を行うことになるので、記録操作の開始からデータの記録可能な空きのクラスタを見付け出すまでに検索のための時間が経過することになる。
従って、結果的に、記録操作の開始からデータの実際の書き込み（記録）までに時間が経過するが、その経過する時間の分に対応してデータの記録が行われず、実質的にその分の記録データが欠落するという問題があった。
【００１７】
尚、この空きのクラスタの検索に係る問題については、既に幾らかのデータが任意に記録されていて、且つ、データを記録する装置がその記録媒体に対して初めてデータの記録を行う場合には、特開平６−１９５９８３号公報で示されている半導体メモリであっても同じ問題が生じる。
つまり、記録操作の開始から実際のデータの記録までに要する時間分だけ、記録のデータに欠落部分が生じるという問題が起きることになる。
【００１８】
又、既に幾らかのデータが任意に記録され、且つ、空きのクラスタについて情報が知られていない記録媒体にデータの記録を行う場合では、最初にデータの記録が可能な空きのクラスタを検索することになるが、記録操作の開始から実際のデータの書き込み（記録）までに２０秒程度のタイムラグが生じている。
更に、今日では、記録すべきデータ量の増大化に対応して記録媒体の大容量化が進められており、記録媒体の容量の大きさに対応してクラスタの数が多くなり、その分、空きのクラスタを見付け出すための検索対象のクラスタが増加するので、実際にデータの記録が開始されるまでの時間がより一層長くなる傾向にある。
【００１９】
例えば、記憶容量の大きさが２ギガバイト（２０億バイト）の記憶媒体では、クラスタのサイズは３２キロバイトであってクラスタの最大の数は６２５００であることより、記録を開始の際には最大で６２５００個のクラスタが検索の対象になる。
しかも、記録媒体の容量が更に増えて２ギガバイトを超える場合には、FAT３２というファイルシステムが採用されているが、この場合のクラスタの大きさは４キロバイトと小さくなっており、クラスタの数は８倍の５０万個になる。
【００２０】
よって、例えば、８ギガバイトの記録媒体では、８ギガバイトを４キロバイトで除することになるのでクラスタの数が２００万個となり、最大でこの数のクラスタだけ空きの検索を行う必要が生じて実際のデータの記録までのタイムラグが大きくなり、データ記録が欠落するという問題はより一層深刻となっている。
他方、データの記録を記録媒体の後部に位置するエリアで行う際、その記録用エリアが後部であればあるほど、書き込み可能な空きのクラスタを見付け出すために検索すべきクラスタの数が増して、記録の開始までにより一層時間がかかることになる。
【００２１】
具体的には、クラスタの数が２００万個程度の場合に、空きのクラスタを見付け出すために通常の記録装置を用いると数１０秒程度の時間が必要になっている。
【００２２】
この発明は、上記の事情に鑑みて為されたものであり、既にデータが任意に記録されている状態にある記録媒体に対し且つその記録媒体の空きのクラスタについての情報を持たないという初めての状態でデータの記録を行う際に、データの記録操作の開始から実際のデータの記録までの間にタイムラグが全くと言ってよいほどになく、よって、データの記録操作の開始時点からのデータの欠落がより一層少なくなり得るデータ記録装置を提供するものである。
【課題を解決するための手段】
【００２３】
この発明は、記録媒体に既に幾らかのデータが任意に記録され、その記録媒体に対し、空きのクラスタについての情報のないという初めての状態にデータの記録を行う場合には、予めその記録媒体に空きのクラスタを見付け出し、その空きのクラスタにダミーとなるデータ記録を行うように構成したデータ記録装置である。
【００２４】
その詳細な構成は、データを記録するエリアが複数個のクラスタに分割され、且つ、データの記録がファイル単位で行われる構成の記録媒体に、データを記録するためのデータ記録手段と、データ記録を行う対象の記録媒体に既に幾らかのデータが任意に記録されており、そのデータが任意に記録された状態にある記録媒体に対して、前記データ記録手段がデータ記録可能な空きエリアについての情報を持たずに初めてデータの記録を行うか否かを判別する判別手段と、その判別手段の判別結果が、データが任意に記録された状態にある記録媒体に対し、前記データ記録手段が、データ記録可能な空きのエリアについての情報がないという初めてのデータ記録の状態でデータの記録を行うものと判別すると、予めその記録媒体に空きのクラスタを検索し、その検索で見付け出された空きのクラスタにダミーとなるデータ記録を行うように上記データ記録手段を制御する制御手段を備えてなるデータ記録装置である。
【００２５】
ここで、本発明がデータの記録を行う対象の記録媒体とは、データが記録されるべきエリア（クラスタ）が平均化されるように選択使用される構成であり、よって、データ記録装置を立ち上げた際などにおいて、空きのクラスタが判らずどのクラスタからデータの記録を行うべきかがすぐに見付けられない記録媒体を言う。
【００２６】
又、記録媒体に初めてデータを記録するとは、例えば機能を立ち上げてデータの記録を始めようとする際に、対象の記録媒体についてデータ記録可能なクラスタについての情報（アドレス情報等）が消失してしまっていたりして、すぐにデータの記録を行うことができず、データを記録するには、データの記録が可能な空きのクラスタを見付け出す検索を必要とする状態において、データの記録を行うことを言う。
【発明の効果】
【００２７】
この発明は、データの記録を行う対象の記録媒体について、どのクラスタからデータの記録を行うべきかの情報がないという初めての状態でデータの記録を行うのか否かを判別し、その判別結果が初めての状態でデータの記録を行う場合には、予めその記録媒体にデータの記録が可能な空きのクラスタを検索し、その空きのクラスタにダミーとなるデータの記録を行い、このことによって、空きのクラスタの情報を確保するように構成したことから、データの記録の開始と実質的に同時に記録媒体にデータが記録され、空きのクラスタを検索している時間分だけデータの記録が欠落するということのないデータ記録装置である。
【発明を実施するための最良の形態】
【００２８】
この発明を、図面に示す最良の形態に基づき説明する。しかし、この形態によって、この発明が限定されるものではない。
データ記録装置１は、マイクロフォン２と、アンプ３と、Ａ／Ｄ変換器４と、デジタル信号プロセッサ５（以下、「ＤＳＰ５」と称する。）と、制御手段６と、メモリ手段であるバッファメモリ７と、判別手段８と、Ｄ／Ａ変換器９と、アンプ１０と、スピーカ１１と、操作手段１２及び表示手段１３が備えられている。
【００２９】
マイクロフォン２は、記録対象データである音声を入力し、アナログ信号に変換して出力するものである。
アンプ３は、マイクロフォン２の後段に接続され、マイクロフォン２からの音声データを示すアナログ信号のボリュームを所望の大きさに加工するものである。
Ａ／Ｄ変換器４は、アンプ３の後段に接続され、所望の大きさに加工されたアナログ信号を入力しデジタル信号に変換して出力するものである。
【００３０】
ＤＳＰ５は、制御手段６からの制御信号に基づいて、Ａ／Ｄ変換器４からのデジタル信号を受取った際に、データ記録手段として機能してそのデジタル信号を記録媒体１４に記録するように機能するものである。
ＤＳＰ５は、同様に、制御手段６からの制御信号に基づいて、データ再生手段として機能して記録媒体１４に記録されているデジタル信号を再生してＤ／Ａ変換器９に送るように機能するものである。
【００３１】
尚、Ａ／Ｄ変換器４及びＤ／Ａ変換器９とＤＳＰ５の間にはデジタルのデータ信号を送るためのバス１６が、ＤＳＰ５と制御手段６の間にはデジタルのデータ信号を送るためのバス１７が、ＤＳＰ５とバッファメモリ７の間にはデジタルのデータ信号を送るためのバス１８が、バッファメモリ７と記録媒体１４の間にはデジタルのデータ信号を送るためのバス１９が、それぞれ介在されている。
【００３２】
バッファメモリ７は、ＤＳＰ５からのデータを一時的に記録するものである。
ＤＳＰ５からのデータは、バス１８を介してバッファメモリ７に送られ、一時的にバッファメモリ７に記録される構成になっている。
【００３３】
判別手段８は、制御手段６と記録媒体１４の間に介在されて、記録媒体１４に既に幾らかのデータが任意に記録されており、その任意に記録された状態にある記録媒体１４に対し、ＤＳＰ５が初めてデータの記録を行うか否か？、つまり、記録媒体１４のデータ記録が可能な空きのクラスタについて情報を持っているか否かを判別するものである。
そして、判別手段８が、記録媒体１４にアクセスし、記録媒体１４の空きのクラスタについての情報を持っているか否かを判別して判別結果を得ると、その判別結果を制御手段６に送るように構成されている。
【００３４】
更に、制御手段６は、判別手段８からの判別結果を得た際に、その判別結果が記録媒体１４の空きのクラスタについて情報がないという場合には、ＤＳＰ５が記録媒体１４にダミーとなるデータ記録を行い、そのダミーのデータ記録が終了すると機能のスタンバイを行うようにＤＳＰ１４を制御するものである。
他方、制御手段６は、判別手段８からの判別結果を得た際にその判別結果が記録媒体１４の空きのクラスタについての情報が知られていて、次回はどの空きのクラスタからデータ記録を行うべきかが判る場合には、ＤＳＰ５に機能のスタンバイを行うようにＤＳＰ１４を制御するものである。
【００３５】
尚、データ記録装置１では判別手段８が制御手段６と記録媒体１４の間に介在される構成になっているが、判別手段８は、その判別結果が制御手段６に送られるのであれば、バッファ７と記録媒体１４の間に介在された構成であってもよい。
又、判別手段８は、その判別結果が制御手段６に送られるのであれば、バッファ７とＤＳＰ５の間に介在された構成であってもよい。斯かる構成においては、判別手段８の判別機能をＤＳＰ５に備えさせることによって、判別手段８をＤＳＰ５に一体化した構成であってもよい。
【００３６】
記録媒体１４は、具体的に、半導体メモリであって、マイクロフォン２でピックアップされた音声を、デジタル信号にデータ化した音声データを記録するものである。
Ｄ／Ａ変換器９は、バッファ７及びＤＳＰ５を介して入力される記録媒体１４からのデータであるデジタル信号をアナログ信号に変換するものである。
【００３７】
アンプ１０は、Ｄ／Ａ変換器９の後段に接続され、Ｄ／Ａ変換器９からの音声データを示すアナログ信号のボリュームを所望の大きさに加工するものである。
スピーカ１１は、アンプ１０の後段に接続され、所望の大きさに加工されたアナログ信号を入力し、音声に変換して出力するものである。
【００３８】
ここで、データ記録装置１は、上述した内容から判るように、データを再生する機能が備えられている。
操作手段１２は、装置本体ケーシング（図示省略）の外側面（図示省略）に配設され、装置機能の操作を行うものである。
又、表示手段１３は、装置のその時点における機能状態を表示するものである。
【００３９】
データ記録装置１は、上述したように構成されている。以下において、図２に示すフローチャートを参照しながら、データ記録装置１の機能を説明する。
まず最初に、使用者は、前記装置本体ケーシングの内部において、記録媒体１４を所定通りにデータ記録装置１の接続端であるコネクタ（図示省略）に接続して収納させる。
使用者は、続いて、操作手段１２を操作してメイン電源をＯＮにする。
【００４０】
ここで、データ記録装置１において電力が供給された状態になると、判別手段８は制御手段６からの制御に基づいて、データを記録する対象である記録媒体１４の空きのクラスタについて情報が持っているか否かの判別（有無の判別）を行い、データ記録装置１が記録媒体１４の空きのクラスタについての情報を持っていない場合には、ＤＳＰ５が記録媒体１４にダミーのデータ記録を行う。
【００４１】
つまり、詳細には、データ記録装置１に電力が供給されると制御手段６が機能して判別手段８を制御することによって、判別手段８が、記録媒体１４に対し空きのクラスタについての情報を既に持っているか、或いは、持っていないか（初めての状態におけるデータの記録か）の判別を行う。
ここで、判別手段８が、記録媒体１４の空きのクラスタについての情報がないと判別して、その旨の判別結果を制御手段６に送ると、ＤＳＰ５は記録媒体１４のどのクラスタからデータの記録を行うべきかがすぐには判らないということになる。
【００４２】
このことに対して、制御手段６は、ＤＳＰ５が記録媒体１４にダミーとなるデータ記録を行い、そのダミーのデータ記録が終了するとデータ記録機能又はデータ再生機能のスタンバイを行うように制御を行う。
さて、記録媒体１４にＤＳＰ５によってダミーとなるデータが記録されると、記録媒体１４に関し、空きのクラスタの検索、この検索によって得られた空きのクラスタに関する情報の一時記憶、及び、空きのクラスタへのダミーデータの書き込み（記録）が行われることになる。
【００４３】
ここで、このダミーデータの書き込みを行うための過程における検索によって、空きのクラスタの情報が得られ、その空きのクラスタを一時記憶することになり、結果的に、記録媒体１４の空きのクラスタがどこにあるかを知る、つまり、記録媒体１４に対してデータの記録をどのクラスタから始めることが可能かの情報を得ることになる。
尚、データ記録装置１は、記録媒体１４の空きのクラスタの情報が得られると、制御手段６は、記録媒体１４に記録されたダミーのデータを削除するようにＤＳＰ５に制御を行うよう構成されている。
【００４４】
他方、判別手段８の判別結果が記録媒体１４の空きのクラスタについての情報を有しているという旨である場合には、ＤＳＰ５が記録媒体１４のどのクラスタからデータの記録を行うべきかがすぐに判るということになるので、制御手段６は、ＤＳＰ５にデータ記録機能のスタンバイを行うように制御を行う。
ここで、データ記録装置１は、ＤＳＰ５がマイクロフォン２から入力される音声のデータをすぐに記録媒体１４に記録することが可能な状態になっている。
【００４５】
判別手段８及び制御手段６の斯かる機能は、データ記録装置１において機能を立ち上げてデータの記録を始めようとする際に、例えば機能中のデータ記録装置１の電源が一旦切れて記録媒体１４の内部に蓄えられていたアドレス情報、クラスタ情報の類がその時点で消失してしまった場合等において、記録媒体１４を実質的に継続してデータの記録を行う状態が得ることができず、新たに空きのクラスタを検索する必要があることへの対応である。
【００４６】
尚、表示手段１３は、上述の判別手段８の判別機能から、ダミーデータの記録、空きのクラスタの情報の確保、ＤＳＰ５のデータ記録機能のスタンバイ状態までを、表示可能に構成されている。
斯かる構成により、使用者は、データ記録装置１が記録媒体１４へのデータ記録に対してどの状態にあるかを知ることが可能になっている。
【００４７】
使用者が、データ記録装置１のＲＥＣレバー（図示省略）をスライド操作して、マイクロフォン２からの音声の録音（データの記録）を開始させる。
ここで、データ記録装置１は、マイクロフォン２が入力されて来る音声をピックアップし、アナログ信号に変換してアンプ３に送る。
アンプ３は、マイクロフォン２からのアナログ信号を受取ると、そのボリュームを所望の大きさに加工してＡ／Ｄ変換器４に送る。
【００４８】
Ａ／Ｄ変換器４は、アンプ３からの所望の大きさに加工されたアナログ信号を入力すると、デジタル信号に変換してバス１６に出力する。
ＤＳＰ５は、制御手段６からの制御信号に基づいてデータ記録手段として機能し、バス１６を介したＡ／Ｄ変換器４からのデジタル信号を受取ると、バス１８を介してそのデジタル信号をバッファメモリ７に送る。
【００４９】
バッファメモリ７は、バス１８からのデジタル信号を所定順序で一時記録を行い、続いて、そのデジタル信号をデータ記録するために記録媒体１４に送る。
ここで、上述したように、記録媒体１４についてデータの記録が可能で空きの状態になっているクラスタが見付った状態になっているので、データ記録装置１は記録媒体１４に対してデータを記録できるクラスタを検索することなく、そのまますぐに、既に見付っている記録媒体１４の空きのクラスタにＤＳＰ５がデータを記録することになる。
【００５０】
従って、データ記録装置１は、記録媒体１４に対してデータの記録可能な空きのクラスタを見付け出すための時間を必要としないから、上記ＲＥＣレバーのスライド操作とほぼ同時に、マイクロフォン２からの音声データが記録媒体１４に記録されることになる。
よって、上記ＲＥＣレバーのスライド操作とほぼ同時にデータが記録媒体１４に記録されるので、データ記録装置１の再生操作を行うと、上記ＲＥＣレバーのスライド操作とほぼ同時に記録が始まったデータから再生されるので、記録データの頭部に欠落部分が生じるという事態は発生しない。
【００５１】
以下において、データ記録装置１の再生機能を説明する。
使用者が、データ記録装置１の再生釦（図示省略）を押圧操作すると、制御手段６が、データの再生手段としてのＤＳＰ５に記録媒体１４から記録されているデータを読み出させ、そのデータをバス１６を介してＤ／Ａ変換器９に送るように制御を行う。
Ｄ／Ａ変換器９は、バス１６からのデータであるデジタル信号をアナログ信号に変換した後、アンプ１０に送る。
【００５２】
アンプ１０は、Ｄ／Ａ変換器９からのアナログ信号を所望のボリュームに増幅させ、スピーカ１１に送る。
スピーカ１１は、アンプ１０からのアナログ信号を音声に変換し、その音声を出力する。
【００５３】
データ記録装置１がデータを記録する対象の記録媒体１４は、上述したように、具体的にものとして半導体メモリを挙げている。
他方、今日では、データの書換え可能なＣＤ（ＣＤ−ＲＷ）に演算素子（ＣＰＵ）を備えて、データを記録すべきエリアを平均して使用するものなども提案され、特許出願されている。
【００５４】
この発明のデータ記録装置１がデータを記録する対象の記録媒体とは、斯かる構成の記録媒体、つまり、データが記録されるべきエリア（クラスタ）が平均化されるように選択使用される構成であり、よって、データ記録装置１を立ち上げた際などにおいて、空きのクラスタが判らずどのクラスタからデータを記録を行うべきかがすぐに見付けられない記録媒体を言う。
【００５５】
データ記録装置１は記録したデータを再生し、音声で出力する手段が備えられているが、斯かる手段が具備されない構成であってもよい。
又、データ記録装置１は、記録すべきデータが音声であるが、映像、映像と音声の組合せたもの等であってもよい。
【００５６】
データ記録装置１は、記録媒体１４が半導体メモリであることにより、データ記録手段及びデータ再生手段としてＤＳＰ５を用いる構成になっている。
しかし、データ記録手段及びデータ再生手段は、記録媒体の種類に対応させて適宜選択すべきである。
【００５７】
データ記録装置１は、単一のデータ記録手段であるＤＳＰ５を備えて、単一の記録媒体１４にデータを記録する構成になっている。
しかし、記録したいデータの大きさ、種類、記録時間等によって、複数の記録媒体が使用可能であって、その複数の記録媒体に対応するデータ記録手段を備えた構成にすることにより、目的に合わせてデータを記録するという構成であってもよい。
【００５８】
データ記録手段１は、使用者が操作手段１２から直接に操作を行うように構成されている。
しかし、操作手段１２をリモートコントロールによって遠隔的に操作する構成にすることにより、記録媒体１４の空きのクラスタの情報の有無に拘わらず、データ記録装置１は操作手段１２からのデータ記録の開始の操作指示に対応してすぐにデータの記録を開始するので、データ記録装置１が使用者から遠隔されていてもデータ記録の開始を目視によって確かめる必要はない。
【図面の簡単な説明】
【００５９】
【図１】この発明の最良の実施の一形態において、記録媒体を接続している際の構成を説明するブロック図である。
【図２】図１に示す形態の外観の要部機能を説明するフローチャートである。
【符号の説明】
【００６０】
１        ：データ記録装置
２        ：マイクロフォン
３，１０  ：アンプ
４        ：Ａ／Ｄ変換器
５        ：デジタル信号プロセッサ（ＤＳＰ、データ記録手段で且つデータ再生手段）
６        ：制御手段
７        ：バッファメモリ（メモリ手段）
８        ：判別手段
９        ：Ｄ／Ａ変換器
１１      ：スピーカ
１２      ：操作手段
１３      ：表示手段
１４      ：記録媒体
【図１】
2006323626.tif 000003
【図２】
2006323626.tif 000004
【手続補正書】
【提出日】平成17年7月29日(2005.7.29)
【手続補正１】
【補正対象書類名】図面
【補正対象項目名】図１
【補正方法】変更
【補正の内容】
【図１】
2006323626.tif 000005